(57)【要約】【課題】  現在行なわれている栽培中農作物の袋掛けは、ホッチキス等の器具を使用して袋の上部を結束するように閉じる方法や、針金等をねじる事によって上部を閉じる方法の袋が一般的に使用されていますが、指に力が必要になり高齢者には大変な作業です。高齢者にも簡単に袋掛け作業が行えるように、器具を使用する事無く上部結束を行なう方法として、接着する事が試みられていますが実用化に到っておらず、この問題点を解決するための果実袋を提供します。【解決手段】  袋の上部を接着する事で閉じるための問題点を解決するために、接着剤の塗布部分に剥離紙を使用する事無く接着剤塗布面を保護する方法として、袋に施された接着剤塗布部分と隣り合う他の袋の外面を合わせる事で問題を解決します。袋を取り出し農作物にかぶせ、外側から指でつまむように挟みながら滑らす事で袋の上部を閉じるように考えられた果実袋です。【選択図】図２
2013192527.tif 000002
【特許請求の範囲】
【請求項１】
接着する事により上部結束を行なう栽培中農作物の袋掛けに使用する袋において、接着剤塗布部分に剥離紙を使用する事無く接着剤塗布部分の保護を行なう方法として、剥離紙が使用されている接着剤塗布部分には、未使用の状態時に重ね合わされ、隣り合う他の袋の外面にその保護を担わせ、袋の外面は接着剤塗布面との滑りを考慮したものとし、未使用の状態では接着剤塗布部分と、隣り合う他の袋の外面を合わせた状態で収納する果実袋。
【請求項２】
請求項１の処理を施した袋の内面部分と外面部分が、未使用の収納時に向かい合うように重ねあわされた状態での収納を可能にするために、袋の上辺と底辺の長さに差をつけ、袋の中に袋を入れてタワー状に積み重ねた状態で収納できる果実袋。
【請求項３】
袋を外しやすくするために、請求項１の袋にミシン目の切り取り線を入れた果実袋。
【発明の詳細な説明】
【技術分野】
【０００１】
本発明は、農作物への袋掛け作業を、いかに効率良く楽に行なう事が出来るのかを一番の目的とします。袋の開口部は最初から広げておく事でかぶせやすく効率的に行へ、ホッチキス等の器具を使用する事無く、作業工程を増やす事も無く、指先でつまむ程度の力で袋の上部を閉じる事が出来れば、高齢者にも楽に作業を行なう事が出来ます。本発明はこれらを可能にするための果実袋です。
【背景技術】
【０００２】
従来から、病害虫や風雨から農作物を保護するために使用されている袋は、たたまれた状態で束ねられており、栽培中の農作物を袋に挿入した後に、ホッチキス等の器具を使用して上部を閉じる袋が多く使用されています。
【０００３】
農作物を挿入後、袋に取り付けられている針金などをねじる事によって、上部を閉じる袋も使用されています。
【０００４】
文献には、接着する事で上部を閉じる方法やさまざまな形や方法が述べられています。
【先行技術文献】
【特許文献】
【０００５】
【特許文献１】特開２００２−１９１２４１号公報
【特許文献２】特開２００２−１７１７８号公報
【特許文献３】特開２００９−２０７４６８号公報
【特許文献４】特開２００７−２０２５７４号公報
【発明の概要】
【発明が解決しようとする課題】
【０００６】
上記文献１は、上部に粘着剤を塗布し、袋の結束を簡単にすると述べられていますが、
粘着剤塗布面の保護法方や剥離紙の有無については述べられていません。袋の内側に接着剤を塗布した状態で、何十枚もの袋をどのように重ねるかの方法にも記述がありません。
【０００７】
上記文献２は、上部の結合に剥離紙付きの粘着シートを付ける事が記されていますが、粘着剤塗布部分に剥離紙を使用する事無く保護する方法は書かれておらず、袋の重ね方についての記述もありません。
【０００８】
上記文献３，４では、チャックや針金を使用して上部を閉じる方法が記載されています。
【０００９】
従来から使用されている果実袋は、たたまれた状態で束ねられていますので、使用時には袋の上部を広げ、栽培中の農作物を挿入した後に袋の上部を閉じます。現在最も多く行なわれている方法はホッチキス等の留め具を用いるため、片手には常時器具を持った状態で作業を行なわなくてはなりません。
【００１０】
針金などで上部を閉じる方法では、指先に力が必要です。一日に数千枚もの袋掛けを行なうため、特に高齢者には大変な作業になります。
【００１１】
本発明は、袋掛け作業の工程を増やす事無く、作業後に剥離紙などのゴミを出す事も無く、現在多く使用されているホッチキス等の器具を用いる事も無く、非力な方々にも楽に袋掛け作業が行なえる果実袋を提供する事です。
【課題を解決するための手段】
【００１２】
この課題を解決するための請求項１の発明は、袋の内面上部（２）に塗布する接着剤は、袋掛け作業が行なわれ袋の上部が閉じられるまでは、乾燥した状態でも接着力が維持できる接着剤処理を行い、袋掛けの使用時に接着剤処理を行なっている部分を合わせ圧力を加える事で接着を完成させます。
【００１３】
市販されている接着剤の中には、触っても手に付かない程度に乾燥させた状態で接着剤塗布部分を合わせ、圧力を加える事で強い接着力を得られるものがありますので、果実袋に適した接着剤は容易に見つける事が出来る事と思います。
【００１４】
接着剤処理部分が使用前に不能にならないために、接着剤塗布部分を保護する方法として、袋の外面（３・６）に剥離紙の代わりとしての機能を持たせます。袋の外面には、接着剤塗布部分に接着する事の無い素材を使用します。又は、袋の表面に加工を施す事で接着剤塗布部分との滑りを考慮したものとします。
【００１５】
請求項２では、未使用の請求項１の保存の仕方について述べています。袋の内面と袋の外面が隣り合うように重ねる方法として、袋の中に袋を入れるように重ねてタワー状（図２参照）に積み重ねる事で解決します。
【００１６】
上辺（４）と底辺（５）との長さに差をつけることで袋の中に袋を入れて重ねる事を可能にします。
【００１７】
上辺を底辺より短くする事で、上部、底部共に開けられた筒状の果実袋を、かぶせる様に重ねる事が出来(図２参照)、上辺を底辺より長くする事で底部が閉じられた果実袋（図３参照）を重ねることが出来ます。
【００１８】
上部が長く作られた袋では外側に、底辺が長く作られた袋では内側に、上部の周囲に突起や紙コップの飲み口のように丸めて起きますと、指がかかりやすくなり、よりいっそう引き出しやすくする方法も考慮されます。
【００１９】
請求項3では、役目を終えた袋を外しやすくするためにミシン目（７）を入れておきますが、ミシン目の始まりに切り込みを入れるか、Ｖ字にカット（８）しておく事でより小さい力で袋を破る事が出来ます。
【発明の効果】
【００２０】
本発明の果実袋は、袋を取り出し実にかぶせ、上部を指でつまむ様に滑らす事で閉じることが出来、簡単に袋掛け作業を完結する事が出来ます。タワー状に重ねられているため、上部が開かれた状態で作業を行なう事が出来ますので、袋を開ける作業が省略出来ます。
【００２１】
剥離紙を使用しないことで、剥離紙を剥がす必要もありません。剥がした剥離紙がゴミになることもありません。
【００２２】
粘性の少ない接着剤を使用することで手に付着する事も無く、外側から圧力を加える事で閉じることが出来ますので、失敗する事が起こりにくくなります。
【００２３】
ミシン目をつけておくことで、収穫時など袋を外す場合には両端を引っ張る事で簡単に取り外すことが出来ます。
【図面の簡単な説明】
【００２４】
【図１】請求項１の内面図
【図２】請求項２の上辺の短い袋の収納図
【図３】請求項２の上辺の長い袋の収納図
【図４】請求項３のミシン目と切り込み図
【発明を実施するための形態】
【００２５】
農作物を挿入後、袋の落下を防ぐために上部を閉じる方法として、袋の内面（１）上部（２）に接着剤処理を施しますが、本発明の袋に用いる接着剤は粘性が小さく、塗布後手に付かない程度に乾燥した状態でも長時間接着機能を保つものを用います。
【００２６】
本発明では、通常接着剤塗布部分の保護のために用いる剥離紙を使用しないため、未使用の状態時では、接着剤塗布部分に隣り合う他の袋の外面を重ね合わせ、その重ね合わされた袋の外面に、接着剤塗布部分の保護の役目をさせています。
【００２７】
剥離紙の変わりを担う袋の外面には、接着剤との滑りを考慮し、接着する事の無いような素材や加工を行なったものを用います。
【００２８】
袋の外面と袋の内面を重ねる手段として、上辺（４）と底辺（５）の長さに差をつけます。筒状に作られた袋（図２参照）では、上辺を底辺より短くする事により、袋の上から袋をかぶせるような状態に積み重ねていくことで、隣り合う袋の内面と外面を合わせるように保存出来ます。
【００２９】
底辺をとじた袋（図３参照）では、上辺を底辺より長くすることで、隣り合う他の袋の内面と外面を合わせた状態で袋の中に袋を入れるように積み重ねる事が可能になり、保存できます。
【００３０】
底辺の閉じられた袋では、袋の中に雨水などが溜まる事の無いように、底辺の一部に排水口を設けておくことが望まれます。
【００３１】
袋には、左右中心部分に実に繋がる部分から雨水などが入りにくくなるように、Ｖ字カットなどの切り込みを入れておく事が望ましく、袋を効率よく外すためにミシン目（７）を付けておきます。
【００３２】
より少ない力で袋を破るために、ミシン目の始まりにＶ字カットか切り込み（８）を入れておきます。
【実施例１】
【００３３】
農作物を挿入後袋の上部両端を軽く引き、接着剤塗布部分の外側から軽く押さえ、中心部分から指を滑らし上部を閉じます。
【００３４】
使用方法によっては、一文字に閉じるだけではなく、上部を十字状に閉じる事も可能です。
【実施例２】
【００３５】
取り外す場合には上部の両端を左右に引くことでミシン目から破ります。
【００３６】
未摘果の一部に採光させるなどの目的のためには、水平方向に付けられているミシン目を破ります。
【符号の説明】
【００３７】
１    袋の内面
２    接着剤塗布部分
３    上辺の短い袋の外面
４    袋の上辺
５    袋の底辺
６    上辺の長い袋の外面
７    ミシン目
８    切り込み・Ｖ字カット部分
９    のりしろ部分
【図１】
2013192527.tif 000003
【図２】
2013192527.tif 000004
【図３】
2013192527.tif 000005
【図４】
2013192527.tif 000006